(57)【要約】【課題】  光ファイバ用トレイから引き出された光ファイバコードを絡まないようにする。【解決手段】  光ファイバ９を収容する光ファイバ用トレイ４を引き出し可能に収容するトレイ収容棚５を有する光配線ユニット１であって、前記トレイ収容棚５は、前記光ファイバ用トレイ４をスライド移動自在に支持する固定側レール８を有し、前記光ファイバ用トレイ４と前記トレイ収納棚５内面との間には、前記光ファイバ用トレイ４の側部に設けられた通線用ゲート３５から前記光ファイバ用トレイ４の外側へ延びる光ファイバ９を収納する間隙である引出余長収納空間５１が確保されており、前記トレイ収容棚５から前記光ファイバ用トレイ４を引き出すと、前記引出余長収納空間５１に収納された前記光ファイバ９が前記引出余長収納空間５１から引き出されるようになっている。【選択図】    図１
2005157195.tif 000002
【特許請求の範囲】
【請求項１】
光ファイバ（９）を収容する光ファイバ用トレイ（４）を引き出し可能に収容するトレイ収容棚（５）を有する光配線ユニット（１）であって、
前記トレイ収容棚は、前記光ファイバ用トレイをスライド移動自在に支持する固定側レール（８）を有し、
前記光ファイバ用トレイと前記トレイ収納棚内面との間には、前記光ファイバ用トレイの側部に設けられた通線用ゲート（３５）から前記光ファイバ用トレイの外側へ延びる光ファイバを収納する間隙である引出余長収納空間（５１）が確保されており、
前記トレイ収容棚から前記光ファイバ用トレイを引き出すと、前記引出余長収納空間に収納された前記光ファイバが前記引出余長収納空間から引き出されるようになっていることを特徴とする光配線ユニット。
【請求項２】
前記光ファイバ用トレイは、光ファイバを収容するトレイ本体（２１）と、このトレイ本体の側部（３２）に突設され、前記引出余長収納空間内に収納された光ファイバが載せられる光ファイバ載せ台（１５）とを有することを特徴とする請求項１記載の光配線ユニット。
【請求項３】
前記トレイ収容棚の外側には、前記トレイ収容棚の外側から前記光ファイバ用トレイに引き込まれる光ファイバを固定する光ファイバ固定部（１０）が取り付けられ、前記光ファイバ用トレイの前記通線用ゲートと前記光ファイバ固定部との間には、前記光ファイバの引き出し余長（５２）が確保されており、
前記通線用ゲートが前記引出余長収納空間内に位置する状態において、前記光ファイバ固定部と前記引出余長収納空間との間には、前記引き出し余長が、前記光ファイバ固定部及び前記引出余長収納空間よりも前記光ファイバ用トレイが引き出される前記トレイ収容棚の前面側にてＵ字状に湾曲して確保されることを特徴とする請求項１または請求項２記載の光配線ユニット。
【請求項４】
前記光ファイバ固定部は、光ファイバを、前記トレイ収容棚の前面側へ行くに従って前記トレイ収容棚の側部から離隔するように、前記固定側レールの延在方向に対して傾斜させた向きで固定するようになっていることを特徴とする請求項３記載の光配線ユニット。
【請求項５】
前記トレイ収容棚には、前記光ファイバ収容棚が上下多段に収容されていることを特徴とする請求項１から請求項４のいずれかに１項に記載の光配線ユニット。
【発明の詳細な説明】
【技術分野】
【０００１】
本発明は、光配線盤、光接続箱等の光配線ユニットに関する。
【背景技術】
【０００２】
光ファイバケーブルと複数本の光ファイバとの接続等に用いられる光配線盤にあっては、光コネクタ、融着接続部、多心単心分岐部、接続余長等を、引き出し式の複数のトレイに整理して収納する構造のものが広く採用されている（例えば、特許文献１、２）。
図４は、上述の構成の光配線盤の一例を示す平面図である。図４に示す光配線盤１０１は、トレイ収納架体１０２に、光ファイバ用トレイ１０４を上下多段に搭載した構成とされている。光ファイバ用トレイ１０４は、横置き、すなわち、底板１２０がほぼ水平となる向きでトレイ収納架体１０２に搭載されており、トレイ収納架体１０２の両側に設けられたレール１１３（レール１１３は、トレイ収納架１０２の背面板１０２ａから突出されている）に沿って移動することで、トレイ収納架体１０２の作業面側（図４下側）に引き出したり、作業面側からトレイ収納架体１０２内に押し込むようにして収容することができる。
【０００３】
図４において、光ファイバ用トレイ１０４は、底板１２０の周縁部に側壁１２１がリブ状に立設された構造のトレイ本体１０５を主体とするものであり、左右（図４左右）両側の側壁１２１に設けられた通線用ゲート１０８から引き込まれた光ファイバ１０９（ここでは光ファイバコードであり、以下、「光ファイバコード」と称して説明する場合がある）が底板１２０上に配線されるようになっている。符号１０６はコネクタホルダであり、光コネクタアダプタを固定するものである。コネクタホルダ１０６は、底板１２０の中央部に取り付けられており、このコネクタホルダ１０６に固定された光コネクタアダプタにて、光ファイバ用トレイ１０４の左側の通線用ゲート１０８から引き込まれた光ファイバコード１０９と、左側の通線用ゲート１０８から引き込まれた光ファイバコード１０９とが、切り替え可能にコネクタ接続されるようになっている。なお、光コネクタアダプタにて接続される光ファイバ１０９は、光コネクタ（光コネクタプラグ。図示略）によってコネクタ接続可能に成端されているものであることは言うまでもない。また、光ファイバ用トレイ１０４としては、例えば、光カプラ、融着接続部等を収容する構成のものも採用できる。
図４中、符号１０７は湾曲維持部材であり、底板１２０上に配線される光ファイバ１０９の余長の湾曲処理等に利用される。
【０００４】
上述したような光配線盤１０１においては、光ファイバ用トレイ１０４を作業面側に引き出した状態で、光ファイバ用トレイ１０４の内部での作業（例えば、光ファイバ１０９同士のコネクタ接続、切替接続等）が行われる。
トレイ収納架体１０２の側壁部１１０には、光ファイバ用トレイ１０４より引き出された光ファイバコード１０９を保持するコード保持部１１１が設けられており、トレイ収納架体１０２に多段に搭載されている各光ファイバ用トレイ１０４の通線用ゲート１０８と前記コード保持部１１１との間には、光ファイバ用トレイ１０４の引き出し操作を可能とする光ファイバコード１０９の引き出し余長１１２が確保されている。なお、コード保持部１１１は、複数の光ファイバ用トレイ１０４が積層状態に配置されているトレイ搭載領域１０３から、光ファイバ用トレイ１０４の移動（引き出し、あるいは、押し込み）に伴う引き出し余長１１２の移動を可能にするための光ファイバ移動スペース１２２を介して離隔した位置に配置されており、前記光ファイバ移動スペース１２２内には、各光ファイバ用トレイ１０４の通線用ゲート１０８と前記コード保持部１１１との間に確保された引き出し余長１１２が湾曲収納されている。
【特許文献１】特開平９−１５９８４０号公報
【特許文献２】特開平９−１５９８４１号公報
【発明の開示】
【発明が解決しようとする課題】
【０００５】
しかしながら、上述した光配線盤１０１においては、各光ファイバ用トレイ１０４の通線用ゲート１０８と前記コード保持部１１１との間に確保される引き出し余長１１２の長さのバラツキが大きい場合、光ファイバ用トレイ１０４を引き出し操作あるいは収納操作する際に、光ファイバ移動スペース１２２内にて、引き出し余長１１２同士の引っ掛かり、絡まりが生じる可能性がある。引っ掛かりや絡まりを回避するには、引き出し余長を短くしたり、引き出し余長の長さを揃えて引っ掛かりが生じにくいように整然配列することなどが考えられるが、光ファイバ用トレイ１０４の引き出し操作を可能にする点で引き出し余長の長さの短縮には限界があるし、また、光配線盤に配線される多数本の光ファイバについて引き出し余長の長さを揃えることは作業が膨大になってしまい、問題の根本的な解決に至らない。
【０００６】
この発明は、このような事情を考慮してなされたもので、その目的は、光ファイバ用トレイから引き出された光ファイバコードを絡まないようにする構造の光配線ユニットを提供することにある。
【課題を解決するための手段】
【０００７】
上記目的を達成するために、この発明は以下の手段を提案している。
請求項１に係る発明は、光ファイバを収容する光ファイバ用トレイを引き出し可能に収容するトレイ収容棚を有する光配線ユニットであって、前記トレイ収容棚は、前記光ファイバ用トレイをスライド移動自在に支持する固定側レールを有し、前記光ファイバ用トレイと前記トレイ収納棚内面との間には、前記光ファイバ用トレイの側部に設けられた通線用ゲートから前記光ファイバ用トレイの外側へ延びる光ファイバを収納する間隙である引出余長収納空間が確保されており、前記トレイ収容棚から前記光ファイバ用トレイを引き出すと、前記引出余長収納空間に収納された前記光ファイバが前記引出余長収納空間から引き出されるようになっていることを特徴とする光配線ユニットである。
請求項２に係る発明は、前記光ファイバ用トレイは、光ファイバを収容するトレイ本体と、このトレイ本体の側部に突設され、前記引出余長収納空間内に収納された光ファイバが載せられる光ファイバ載せ台とを有することを特徴とする光配線ユニットである。
請求項３に係る発明は、前記トレイ収容棚の外側には、前記トレイ収容棚の外側から前記光ファイバ用トレイに引き込まれる光ファイバを固定する光ファイバ固定部が取り付けられ、前記光ファイバ用トレイの前記通線用ゲートと前記光ファイバ固定部との間には、前記光ファイバの引き出し余長が確保されており、前記通線用ゲートが前記引出余長収納空間内に位置する状態において、前記光ファイバ固定部と前記引出余長収納空間との間には、前記引き出し余長が、前記光ファイバ固定部及び前記引出余長収納空間よりも前記光ファイバ用トレイが引き出される前記トレイ収容棚の前面側にてＵ字状に湾曲して確保されることを特徴とする請求項１または２記載の光配線ユニットである。
請求項４に係る発明は、前記光ファイバ固定部は、光ファイバを、前記トレイ収容棚の前面側へ行くに従って前記トレイ収容棚の側部から離隔するように、前記固定側レールの延在方向に対して傾斜させた向きで固定するようになっていることを特徴とする光配線ユニットである。
請求項５に係る発明は、前記トレイ収容棚には、前記光ファイバ収容棚が上下多段に収容されていることを特徴とする光配線ユニットである。
【発明の効果】
【０００８】
本発明によれば、光ファイバ用トレイをトレイ収容棚から引き出すために必要となる引き出し余長（光ファイバの余長）を引出余長収納空間にコンパクトに収納できる。また、引出余長収納空間に収納された光ファイバは、光ファイバ用トレイとトレイ収納棚内面との間に位置するため、光ファイバ用トレイとトレイ収納棚内面とが、光ファイバを衝突物の衝突等から保護する保護壁としての機能を果たすこととなり、部材の接触等から光ファイバを守ることができる。トレイ収容棚が、光ファイバ用トレイを多段に収容する構成の場合、引き出し余長同士の引っ掛かりを防止でき、引っ掛かりによって光ファイバを傷める心配が無い。また、光配線ユニットは、引き出し余長を収納するためのスペース（このスペースは、単に引き出し余長を収納することのみならず、トレイ収容棚からの光ファイバ用トレイの引き出し、あるいは、光ファイバ用トレイのトレイ収容棚への押し込みに伴う光ファイバの移動を可能にする大きさを確保する必要がある）を別途設ける必要が無くなるか、あるいは、収納スペースを縮小できるため、ユニット全体の小型化が可能となる。
【発明を実施するための最良の形態】
【０００９】
以下、図面を参照し、この発明の実施の形態について説明する。図１から図３はこの発明の一実施の形態を示す図であり、図１は本発明の光配線ユニットを示す平面図、図２は図１における光ファイバ用トレイをトレイ収容棚より引き出した時の平面図、図３は、図１におけるＡ−Ａ断面図である。なお、以下、図１における下側を「前」、上側を「後」、右側を「右」、左側を「左」として説明する。
図１及び図２において、光配線ユニット１は、光コネクタ２を接続する光コネクタハウジングである光コネクタアダプタ３を有する引き出し可能な光ファイバ用トレイ４が多段に収容されたトレイ収容棚５を有する。
【００１０】
トレイ収容棚５は、光ファイバ用トレイ４を収容する枠上の収容棚本体６と、前記光ファイバ用トレイ４を引き出し、収容可能に支持するために収容棚本体６の両側板７の内面に設けられた固定側レール８と、光ファイバコード９をクランプ固定するための光ファイバ固定部１０とから構成されている。この光ファイバ固定部１０は、光ファイバコード９を、トレイ収容棚５の前面側へ行くに従ってトレイ収容棚５の側板（側部）７から離隔するように、固定側レール８の延在方向（前後方向）に対して傾斜させた向きで固定するようになっている。
【００１１】
収容棚本体６は、枠状に構成されたものである。図３に示すように、固定側レール８は、収容棚本体６を構成する側板７の内面側にネジ止め等により固定されるものであって、この側板７にネジ止め等により固定された固定壁部１３と、この固定壁部１３の下端から収容棚本体６の内側に向けて折り返して形成された固定レール部１４とから構成されている。図１及び図２に示すように、この固定側レール８は、図３に示す固定壁部１３と固定レール部１４とが光ファイバ用トレイ４の引き出し、収容方向（前後方向）に延在して形成されている。この固定側レール８は、後述する移動側レール１５を引き出し、収容方向にガイドする機能を有する。
【００１２】
光ファイバ用トレイ４は、各種の光配線盤や光接続箱に用いることができ、その用途に応じて光ファイバのほか、光スプリッタ、光接続部、余長収納ケース等の各種部材などが収容されるものである。光ファイバ用トレイ４は、光ファイバコード９を収容するトレイ本体２１と、このトレイ本体２１の側部に突設され、後述する引出余長収納空間５１内の収納された光ファイバコード９が載せられる移動側レール１５とを有している。ここで、この移動側レール１５は、本発明の光ファイバ載せ台を兼ねる機能を有するものである（以下、光ファイバ載せ台を移動側レールともいう）。
【００１３】
トレイ本体２１は、基板部３１と、この基板部３１の両側縁（図１，図２において左右側）に立設された側板部３２（側部）と、前縁に立設された前板３３と、後縁に立設された後板３４とから構成されている。この側板部３２には、通線用ゲート３５が形成されている。通線用ゲート３５は、光ファイバコード９を光ファイバ用トレイ４から引き出し、もしくは光ファイバ用トレイ４に引き入れるためのものであって、光ファイバ用トレイ４の引き出し方向の奥側（後側）に配置されている。ここで、この光ファイバ用トレイ４は、トレイ収容棚５に横置き、すなわち、基板部３１が水平（あるいはほぼ水平）となる向きで搭載される。
この光ファイバ用トレイ４には、光コネクタアダプタ３を取り付けるためのコネクタ取付部２２と、光コネクタアダプタ３に接続された光コネクタ２の光ファイバ（以下、光ファイバコードともいう）９に取り付けられた丸札２３を載上するために、この光コネクタアダプタ３を挟んで両側に配置された丸札載置部２４と、光ファイバコード９をクランプ固定するためのクランプ固定部２５とが搭載されている。なお、クランプ固定部２５は、丸札載置部２４に組み込まれている。
【００１４】
コネクタ取付部２２には、該コネクタ取付部２２の長手方向の複数の箇所に光コネクタアダプタ３を取り付けることができる。光コネクタアダプタ３は、光ファイバ用トレイ４の基板部３１に複数段（本実施の形態では２段に積層）に実装することができる。なお、本実施の形態では、光コネクタアダプタ３を２段に積層したが、これに限るものではなく、例えば、１段のみであってよく、３段以上であってよい。
基板部３１は、コネクタ取付部２２を挟んで光コネクタ２Ａ側（右側）に矩形状に形成された開口部３６を有している。この開口部３６は、光コネクタアダプタ３に対する光コネクタ２の挿脱作業（特に上下２段のうち下段の光コネクタ２の挿脱作業）を容易にするためのものである。なお、開口部３６は、図示例では、コネクタ取付部２２の片側のみに形成しているが、コネクタ取付部２２を挟んで両側に形成してもよい。
【００１５】
光ファイバ用トレイ４のコネクタ取付部２２に取り付けた光コネクタアダプタ３は、光コネクタ２Ａ側（右側）の通線用ゲート３５を介して光ファイバ用トレイ４に引き込まれた光ファイバコード９と、他側（左側）の通線用ゲート３５から引き込まれた光ファイバコード９とをコネクタ接続するものであり、光ファイバコード９先端に組み立てられた光コネクタ２が両側から挿入されて、内部で接続されるようになっている。
なお、前述した符号２Ａの光コネクタは、コネクタ取付部２２の光コネクタアダプタ３にて接続される対を構成する光コネクタ２の片方である。また、この光コネクタ２がコネクタ接続可能に成端する光ファイバコード９（左側の光ファイバ）は、例えば、いわゆるジャンパコードなどであり、光コネクタアダプタ３を介して光コネクタ２側の複数本の光ファイバコード９に対して切り替え可能に接続されている。
符号１６は、光減衰器であり、図示例では、光コネクタ２と光コネクタアダプタ３との間に光減衰器１６が介在されるようになっているが、光減衰器１６は、適宜必要に応じて設けられるものであり、省略することも可能である。
【００１６】
光コネクタアダプタ３に接続される光コネクタ２としては、例えばＳＣ形光コネクタ（ＪＩＳ Ｃ ５９７３に制定されるもの等。ＳＣ：Single fiber Coupling optical fiber connector）、ＳＣ２形光コネクタ、ＭＵ形光コネクタ（ＪＩＳ Ｃ ５９８３に制定されるもの等。ＭＵ：Miniature-Unit coupling optical fiber connector）、ＭＴ形光コネクタ（ＪＩＳ Ｃ ５９８１等に制定されるもの等。ＭＴ：Mechanically Transferable）等が採用される。また光コネクタアダプタ３は、使用する光コネクタ２を接続可能なものが採用される。
なお、本発明において「光コネクタアダプタ」は、光コネクタプラグ同士を中継し、内部にて両光コネクタプラグが位置決め接続される光接続機器をいい、ここに例示した光コネクタアダプタのほか、光コネクタレセプタクル等、光コネクタ（光コネクタアダプタ）が挿入接続される各種雌型の光コネクタを指す。
【００１７】
光コネクタ２を介して光コネクタアダプタ３に接続された光ファイバコード９には、紐３７を介して識別用の丸札２３が取り付けられている。丸札２３は、図示例では円板状に形成され、光ファイバコード９を識別するための情報（回線番号など）を表面に記入することができるようになっている。丸札２３は、線番等の表示が明瞭に目視できれば透明でも不透明でも良い。透明な丸札２３としては、無色透明な合成樹脂や金属板が用いられる。この丸札２３に固定される紐３７は特に限定されず、各種合成繊維の糸を用いることができる。
【００１８】
丸札２３を収納するための丸札載置部２４は、基板部３１上にネジ止め等により固定されるものであり、丸札２３が載置される丸札載置台４１と、この丸札載置台４１から上方に向けて突出して形成された複数の落下防止ストッパ４２と、クランプ固定部２５とから構成されている。落下防止ストッパ４２は、丸札載置台４１から突出するように形成され、かつその上端側は折り返されて形成されている。この落下防止ストッパ４２は、光コネクタアダプタ３の配列方向（前後方向）に間隔をおいて複数設けられている。この落下防止ストッパ４２の間隔は、丸札２３の落下を防ぐため、丸札２３の最小径よりも小さくするのが好ましい。
【００１９】
光ファイバ用トレイ４には、光ファイバコード９をクランプ固定するクランプ固定部２５が設けられている。クランプ固定部２５は、光ファイバ用トレイ４において、光ファイバ用トレイ４の内外にわたって配線される光ファイバコード９をクランプ固定して束ねることができるものであって、丸札載置部２４に載上されている丸札２３に光ファイバコード９が重ならない構造とされている。したがって、丸札２３を識別したり、あるいは取り出す際に容易である。また、丸札２３が落下防止ストッパ４２に囲まれていることにより、丸札２３をより確実に収納することができるので、開口部３６からの落下を防止できる。
【００２０】
この光ファイバ用トレイ４には、前記固定側レール８に沿って光ファイバ用トレイ４を移動させるためにトレイ本体２１の側板部３２から側方に突設された移動側レール１５が設けられている。移動側レール１５は、両側板部３２に図示しないネジ止めにより取り付けられたものであって、図３に示すように、側板部３２にネジ止め等により固定された固定壁部４３と、この固定壁部４３の下端から側方に突出するように折り返して形成された移動レール部４４と、固定壁部４３の上端から側方に突設された突出壁部４５とから構成されており、固定壁部４３と移動レール部４４と突出壁部４５とが光ファイバ用トレイ４の引き出し、収容方向（前後方向）に延在して形成されている。移動側レール１５の移動レール部４４は、固定側レール８の固定レール部１４に載上されている。これにより、光ファイバ用トレイ４は、固定レール部１４に沿って引き出し、収容可能とされている。
【００２１】
この移動側レール１５と固定側レール８との間には、通線用ゲート３５から前記トレイ本体２１の外側へ延びる光ファイバコード９を収納する間隙である引出余長収納空間５１が確保されている。移動側レール１５には、この引出余長収納空間５１内に収納されている光ファイバコード９が載上されている。この引出余長収納空間５１は、固定壁部１３と固定レール部１４と固定壁部４３と移動レール部４４と上段に設けられた固定壁部１４とに囲まれて形成されていることにより、引出余長収納空間５１に収納されている光ファイバコード９は、他の引出余長収納空間に収納されている光ファイバコードと引っ掛かることが無い。また、移動側レール１５は、引出余長収納空間５１の幅を保つ役割も果たす。また、符号５３は、通線用ゲート３５付近にて、トレイ本体４の側板３２から、引出余長収納空間５１に突出された光ファイバ受け用突起である。
【００２２】
図１に示すように、通線用ゲート３５と光ファイバ固定部１０との間に配線された光ファイバコード９が、引き出し余長５２として機能するようになっており、光ファイバ固定部１０から、トレイ収容棚５の前面側（作業面側）に延びる部分が、光ファイバ固定部１０から、通線用ゲート３５あるいは引出余長収納空間５１までの間に湾曲配線されている。引出余長収納空間５１には、光ファイバ用トレイ４の通線用ゲート３５から引き出された光ファイバコード９の引き出し余長５２が収納されている。また、この引き出し余長５２の引出余長収納空間５１から延びた部分は、作業面側（前側）から奥側（後側）に向けてＵ字状に反転して湾曲されており、光ファイバ固定部１０に固定されている。ここで、光ファイバ固定部１０に傾斜が設けられていることにより、光ファイバコード９の引き出し余長５２は、大きく湾曲されているので、所定の湾曲半径を維持することができ、光ファイバコード９に極度の曲げが生じることによる光ファイバコード９の折損を防止することができる。
【００２３】
上記の構成の光ファイバ用トレイ４をトレイ収容棚５から引き出すには、図１に示す光ファイバ用トレイ４を作業面側に向けて引き出す。すると、光ファイバ用トレイ４は、固定側レール８に載上している移動側レール１５が固定側レール８に沿って引き出し方向（前方向）に移動する。このとき、光ファイバ用トレイ４をトレイ収容棚５から引き出すに伴い、移動側レール１５に載っている引き出し余長５２も、光ファイバ用トレイ４と一体的に移動し、引き出し余長５２の内の引出余長収納空間５１内に収納されている部分が引出余長収納空間５１からトレイ収容棚５の前面側に引き出されてくるため、引き出し余長５２の内、光ファイバ固定部１０と引出余長収納空間５１との間にＵ字状に湾曲配線されている部分の長さが長くなる。
そして、図２に示すように、光ファイバ用トレイ４がトレイ収容棚５から引き出される。この状態で、光コネクタ２の交換及び切替作業を行うことができる。この際、光ファイバコード９の引き出し余長５２が光ファイバ用トレイ４の側部に引き出されていることにより、光ファイバコード９の交換、切替作業に必要な長さが十分に確保されている。
【００２４】
次に、光ファイバ用トレイ４をトレイ収容棚５に収容するには、図１及に図２に示すように、光ファイバ用トレイ４を収容方向（後方向）に押し込む。すると、光ファイバ固定部２５と引出余長収納空間５１との間に配線されている引き出し余長５２が、引出余長収納空間５１に引き込まれるようにして収納されていく。ここで、引き出し余長５２が引出余長収納空間５１に引き込まれていくと、引き出し余長５２の内、光ファイバ固定部１０と引出余長収納空間５１との間に位置する部分の長さが短くなるが、Ｕ字状に湾曲されていることにより、光ファイバ固定部１０と引出余長収納空間５１との間の引き出し余長５２の湾曲が維持され、光ファイバコード９に極度の曲げが生じすることによる光ファイバコード９の折損を防止することができる。また、トレイ収容棚５の前面側へ行くに従ってトレイ収容棚５の側板７から離隔するように、固定側レール８の延在方向に対して傾斜させた向きで光ファイバ固定部１０に固定されているので、より確実に所定の湾曲を維持することができる。これにより、引き出し余長５２に急激な曲げが加わらず、折損を起こすような急な曲げを防止することができる。
そして、図１に示すように光ファイバ用トレイ４をトレイ収容棚５に収容することができる。
【００２５】
上記の構成によれば、光ファイバ用トレイ４をトレイ収容棚５から引き出すために必要となる引き出し余長５２を引出余長収納空間５１にコンパクトに収納できる。また、引出余長収納空間５１に収納された光ファイバコード９は、移動側レール１５と固定側レール８との間に位置するため、移動側レール１５と固定側レール８とが、光ファイバコード９を衝突物の衝突等から保護する保護壁としての機能を果たすこととなり、部材の接触等から光ファイバコード９を守ることができる。トレイ収容棚５が、光ファイバ用トレイ４を多段に収容する構成の場合、引き出し余長５２同士の引っ掛かりを防止でき、引っ掛かりによって光ファイバコード９を傷める心配が無い。また、光配線ユニット１は、引き出し余長５２を収納するためのスペースを別途設ける必要が無くなるか、あるいは、収納スペースを縮小できるため、ユニット全体の小型化が可能となる。
【００２６】
また、この構成であれば、光ファイバ固定部１０に固定される光ファイバコード９の向きが固定側レール８の延在方向（前後方向）に一致する場合に比べて、光ファイバ固定部１０と引出余長収納空間５１との間の引き出し余長５２の湾曲半径を大きく確保できるため、光ファイバコード９の光特性の維持に有利である。また、固定側レール８に沿った光ファイバ用トレイ４の移動に伴い、光ファイバ固定部１０と引出余長収納空間５１との間の引き出し余長５２の長さの変動が、引き出し余長５２の湾曲状態を保ちつつ円滑になされるようにする点で有利である。
さらに、固定側レール８に沿って光ファイバ用トレイ４を移動させると、光ファイバ固定部１０と引出余長収納空間５１との間の引き出し余長５２の長さが変動するが、光ファイバ固定部１０と引出余長収納空間５１との間では引き出し余長５２の湾曲状態が常に確保されて、光ファイバコード９の光特性が安定に維持され、光ファイバコード９に極度の曲げが生じることによる光ファイバコード９の折損を防止することができる。
【００２７】
なお、本発明に係る光ファイバ用トレイは、光コネクタアダプタ等の光部品を収容するものに限定されず、少なくとも、光ファイバを収容するものであれば良い。但し、左右両側に通線用ゲート備えるものであることは言うまでもない。
また、本発明に係る光ファイバ用トレイは、例えば、トレイ収容棚に対してピン結合等によって回転自在に取り付けた構成（光ファイバ固定部と引出余長収納空間との間の引き出し余長の長さの変動に対応して、引き出し余長に急激な曲げを与えないように、向きが自由に変化する構成）なども採用可能である。
また、光ファイバ用トレイと、トレイ収容棚内面（側壁内面）との間における、引出余長収納空間の位置は、前述の実施形態に限定されない。例えば、固定側レールや移動側レールの形状などによって適宜変更可能である。また、例えば、固定側レール上に、トレイ本体が直接接してガイドされる構成などの場合は、引出余長収納空間がトレイ本体とトレイ収容棚内面との間に確保されるようにすることも可能である。
さらに、光ファイバ載せ台は、移動側レールがこれを兼ねる構成に限定されず、移動側レールとは別にトレイ本体の側部に突設することも可能である。また、移動レールの設置が省略される場合でも、光ファイバ用トレイの前後方向の移動時の光ファイバの曲げ防止などの点で、光ファイバ載せ台を設けることが好ましい。
【図面の簡単な説明】
【００２８】
【図１】本発明の光配線ユニットを示す平面図である。
【図２】図１における光ファイバ用トレイをトレイ収容棚より引き出した時の平面図である。
【図３】図１におけるＡ−Ａ断面図である。
【図４】従来の光配線ユニットを示す平面図である。
【符号の説明】
【００２９】
１…光配線ユニット、４…光ファイバ用トレイ、５…トレイ収容棚、８…固定側レール、９…光ファイバ（光ファイバコード）、１０…光ファイバ固定部、１５…光ファイバ載せ台（移動側レール）、２１…トレイ本体、３２…側板部、３５…通線用ゲート、５１…引出余長収納空間、５２…引き出し余長
【図１】
2005157195.tif 000003
【図２】
2005157195.tif 000004
【図３】
2005157195.tif 000005
【図４】
2005157195.tif 000006